(57)【要約】【課題】破棄されるパケットの量を減少させて効率の良い受信動作をすることのできる受信側ネットワーク装置を提供することを目的とする。【解決手段】複数の経路を形成するネットワーク網３，４を介して送信側ネットワーク装置１０１と接続され、送信側ネットワーク装置１０１から送信される冗長化された信号を受信する受信側ネットワーク装置１０２であって、受信した信号の劣化を検出する信号劣化検出部２３１ａ，２３１ｂと、受信した信号を各信号毎に通過させるか遮断するか切り換える信号遮断部２３３ａ，２３３ｂと、信号劣化検出部２３１ａ，２３１ｂの検出結果に基づいて、劣化した信号の割合の多いネットワーク網３，４からの受信信号を遮断するように信号遮断部２３３ａ，２３３ｂを制御する遮断制御部２３２ａ，２３２ｂとを備えている。【選択図】        図２
2008028671.tif 000002
【特許請求の範囲】
【請求項１】
複数の経路を形成するネットワーク網を介して送信側ネットワーク装置と接続され、送信側ネットワーク装置から送信される冗長化された信号を受信する受信側ネットワーク装置であって、
受信した信号の劣化を検出する信号劣化検出部と、
受信した信号を各信号毎に通過させるか遮断するか切り換える信号遮断部と、
前記信号劣化検出部の検出結果に基づいて、劣化した信号の割合の多いネットワーク網からの受信信号を遮断するように前記信号遮断部を制御する遮断制御部と
を備えたことを特徴とする受信側ネットワーク装置。
【請求項２】
前記遮断制御部は、少なくとも一つのネットワーク網からの受信信号は遮断しないように制御する
ことを特徴とする請求項１に記載の受信側ネットワーク装置。
【請求項３】
前記遮断制御部は、ネットワーク網からの受信信号を遮断した後、同ネットワーク網からの受信信号の劣化が所定量以下に減少すると遮断を開放して当該ネットワーク網からの受信信号を通過させるように制御する
ことを特徴とする請求項１または２に記載の受信側ネットワーク装置。
【請求項４】
前記送信側ネットワーク装置は、前記冗長化された信号として、パケットにシステム内で固有の認識番号とシーケンス番号とを付与してネットワーク網上の複数の経路に同報送信するものであり、
受信側ネットワーク装置は、
前記システム内で固有の認識番号毎に前記シーケンス番号を保持するシーケンス番号保持部と、
保持された前記シーケンス番号と比較をして未受信のパケットであればこれを通過させ、既受信のものであればこれを廃棄する選択／廃棄処理部とをさらに備えた
ことを特徴とする請求項１から３のいずれか１項に記載の受信側ネットワーク装置。
【請求項５】
前記システム内で固有の認識番号が送信元ＩＤである
ことを特徴とする請求項４に記載の受信側ネットワーク装置。
【請求項６】
前記システム内で固有の認識番号がＱｏＳ認識番号である
ことを特徴とする請求項４に記載の受信側ネットワーク装置。
【発明の詳細な説明】
【技術分野】
【０００１】
本発明は、複数の経路を形成するネットワーク網を介して送信側ネットワーク装置と接続され、送信側ネットワーク装置から送信される冗長化された信号を受信する受信側ネットワーク装置に関するものであり、特にレイヤ２ネットワーク網における通信の品質向上を目的とするものである。
【背景技術】
【０００２】
図９は従来のレイヤ２ネットワークシステムの構成図である。図９において、送信側ネットワーク装置２０１および受信側ネットワーク装置９０２は、それぞれレイヤ２ネットワーク網（以降、Ｌ２ネットワーク網と称す）３，４に接続されている。送信側ネットワーク装置２０１は、受信処理部１１、タグ付与部１３、送信元ＩＤ保持部１４およびシーケンス番号生成部１５を有している。一方、受信側ネットワーク装置９０２は、選択／廃棄処理部２４、ＩＤ毎のシーケンス番号保持部２５および送信処理部２１を有している。
【０００３】
送信側ネットワーク装置１０１は、端末装置等から信号を受信し、この信号に情報を付与してＬ２ネットワーク網３，４に送信する。詳細には、送信側ネットワーク装置１０１は、受信処理部１１にて端末装置等からの信号を受信後、この信号にタグ付与部１３にて送信元ＩＤである自装置のＩＤとパケット単位のユニークなシーケンス番号を付与し、パケットとしてＬ２ネットワーク網３，４に送信する。受信側ネットワーク装置９０２は、選択／廃棄処理部２４において、シーケンス番号保持部２５の保持する送信元ＩＤ毎のシーケンス番号と、受信したパケットのシーケンス番号の大小関係を比較することで、当該パケットを選択して通過させるか廃棄するかを決定する。選択されて通過したパケットは、送信処理部２１を経由し、対応する装置に送信される（例えば、非特許文献１）。
【０００４】
【非特許文献１】レイヤ２技術による高信頼ネットワーク構成機能の実装と評価  信学技報  ＩＥＩＣＥ  Ｔｅｃｈｎｉｃａｌ  Ｒｅｐｏｒｔ  ＣＳ２００５−３（２００５−５）
【発明の開示】
【発明が解決しようとする課題】
【０００５】
しかしながら、上述の冗長化されたパケットが送信されるＬ２ネットワーク網の技術においては、受信側ネットワーク装置において、パケットの劣化によりパケットが破棄されたり、Ｌ２ネットワーク網内でのＱｏＳ（Ｑｕａｌｉｔｙ  ｏｆ  Ｓｅｒｖｉｃｅ）、ＶＬＡＮ（Ｖｉｒｔｕａｌ  ＬＡＮ）などの優先制御によりパケットの順番が入れ替わることでパケットが破棄されたりすることがあり、これにより、Ｌ２ネットワークを通過するパケットに損失が生じることがある。
【０００６】
図１０は受信側ネットワーク装置９０２によりパケットが破棄される動作を説明するための表を示す図である。図１０において、時刻１においては、Ｌ２ネットワーク網３から、劣化のないパケットを受信する。当該パケットのシーケンス番号は、受信側ネットワーク装置９０２が保持しているシーケンス番号より大きいため、受信側ネットワーク装置９０２を通過する。この際、受信側ネットワーク装置９０２が保持しているシーケンス番号は、通過したパケットのシーケンス番号に更新される。時刻２においては、Ｌ２ネットワーク網３から劣化したパケットを受信したため、冗長化処理が行われる前に当該パケットが破棄される。時刻３においては、Ｌ２ネットワーク網４から、劣化のないパケットを受信するが、当該パケットのシーケンス番号が、受信側ネットワーク装置９０２が保持しているシーケンス番号より大きくないため、当該パケットは通過せずに破棄される。時刻４、７においては、時刻１と同様に動作し、パケットが通過し、受信側ネットワーク装置９０２が保持しているシーケンス番号が更新される。時刻５、６においては、時刻３と同様に動作し、パケットは破棄される。
【０００７】
このように、受信側ネットワーク装置９０２においては、劣化のないパケットとして、シーケンス番号が０１から０４の４個のパケットを受信するが、通過するパケットはＬ２ネットワーク網から受信する順番とパケットの劣化により、０１、０３、０４の３個となる。パケットの劣化が定常的に発生した場合、受信側ネットワーク装置９０２を通過せずに破棄されるパケットも定常的に生じる。
【０００８】
図１１は、Ｌ２ネットワーク網内でＱｏＳ、ＶＬＡＮなどの優先制御により、Ｌ２ネットワーク網に送信されたパケットの順番と、Ｌ２ネットワーク網から受信するパケットの順番が入れ替わった場合の動作を説明するための図である。具体的には、ＱｏＳ、ＶＬＡＮなどの優先制御により、シーケンス番号１３のパケットがシーケンス番号１１、１２のパケットよりも先に受信された例である。図１１において、時刻１、２、５では、受信側ネットワーク装置９０２が保持しているシーケンス番号より大きいシーケンス番号を有するパケットであるため、受信側ネットワーク装置９０２を通過する。一方、時刻３、４では、Ｌ２ネットワーク網内の優先制御により、受信するパケットのシーケンス番号は受信側ネットワーク装置９０２が保持しているシーケンス番号より小さいものとなり、パケットは破棄される。
【０００９】
このように、Ｌ２ネットワーク網内の優先制御により送受信間でのパケットの順番に変更が生じた場合、受信側ネットワーク装置９０２を通過せずに破棄されるパケットが生じる。
【００１０】
この発明は上述のような課題を解決するためになされたもので、破棄されるパケットの量を減少させて効率の良い受信動作を実現する受信側ネットワーク装置を提供することを目的とする。
【課題を解決するための手段】
【００１１】
上述のような課題を解決するために、この発明にかかる受信側ネットワーク装置は、受信した信号の劣化を検出する信号劣化検出部と、受信した信号を各信号毎に通過させるか遮断するか切り換える信号遮断部と、信号劣化検出部の検出結果に基づいて、劣化した信号の割合の多いネットワーク網からの受信信号を遮断するように信号遮断部を制御する遮断制御部とを有している。
【発明の効果】
【００１２】
この発明にかかる受信側ネットワーク装置においては、劣化した信号の割合の多いネットワーク網からの受信信号が本来の選択／廃棄処理を行う前に遮断される。これにより、選択／廃棄処理部において破棄されるパケットの量が減少して効率の良い受信動作をすることができる。
【発明を実施するための最良の形態】
【００１３】
以下、本発明にかかる受信側ネットワーク装置の実施の形態を図面に基づいて詳細に説明する。なお、この実施の形態によりこの発明が限定されるものではない。
【００１４】
実施の形態１．
図１は本発明にかかる実施の形態１の受信側ネットワーク装置を含むネットワークシステムのシステム構成図である。図１において、送信側ネットワーク装置１０１と受信側ネットワーク装置１０２とがＬ２ネットワーク網に接続されている。Ｌ２ネットワーク網は、送信側ネットワーク装置１０１と受信側ネットワーク装置１０２との間に複数の経路を形成する（この複数の経路を図においてＬ２ネットワーク網３とＬ２ネットワーク網４と表現する）。
【００１５】
送信側ネットワーク装置１０１は、端末装置などからパケットを受信する受信処理部１１と、受信したパケットをＬ２ネットワーク網３，４に対応した冗長化されたパケットに変換して送信する送信側冗長化処理部１１とを有している。
【００１６】
一方、受信側ネットワーク装置１０２は、Ｌ２ネットワーク網３，４から受信するパケットを劣化の頻度により遮断する遮断処理部２３と、冗長化されたパケットを変換する受信側冗長化処理部２２と、変換したパケットを端末装置などに送信する送信処理部２１とを有している。
【００１７】
図２は遮断処理部２３の詳細な構成を示す機能ブロック図である。遮断処理部２３には、Ｌ２ネットワーク網３，４に対応してそれぞれ設けられてＬ２ネットワーク網３，４からのパケットの劣化を検出する信号劣化検出部２３１ａ、２３１ｂと、この信号劣化検出部２３１ａ、２３１ｂの後段に設けられて、Ｌ２ネットワーク網３，４からのパケットを遮断する信号遮断部２３３ａ、２３３ｂと、信号劣化検出部２３１ａ、２３１ｂの検出結果に基づいて信号遮断部２３３ａ、２３３ｂを制御する遮断制御部２３２ａ、２３２ｂとが設けられている。
【００１８】
次に動作を説明する。送信側ネットワーク装置１０１は、受信処理部１１で端末装置などから送信されるパケットを受信する。受信したパケットは、所定の情報を付与されて冗長化に対応した形式のパケットとされて、送信側冗長化処理部１２から、Ｌ２ネットワーク網３，４に送信される。
【００１９】
受信側ネットワーク装置１０２は、遮断処理部２３において、冗長化されたパケットをＬ２ネットワーク網３，４から信号劣化検出部２３１ａ、２３１ｂにて受信して、信号遮断部２３３ａ、２３３ｂを経由して、受信側冗長化処理部２２に転送する。受信側冗長化処理部２２では、受信したパケットに冗長化の処理を実施される。その後、パケットは送信処理部２１により端末装置などに送信される。
【００２０】
ここで、Ｌ２ネットワーク網３から受信するパケットにおいて定常的に信号劣化が発生しており、Ｌ２ネットワーク網４から受信するパケットは劣化がないものとする。遮断処理部２３では、Ｌ２ネットワーク網３から受信するパケットは信号劣化検出部２３１ａにより、パケットの劣化が検出され、検出された劣化の頻度（信号全体に対する劣化した信号の割合）が遮断制御部２３２ａに送信される。そして、この頻度がある閾値を超えた場合、遮断制御部２３２ａは、Ｌ２ネットワーク網３に定常的にパケットの劣化が発生していると判断して、信号遮断部２３３ａに対してＬ２ネットワーク網３から受信側冗長化処理部２２へのパケットの通信を遮断するように制御する。
【００２１】
受信側冗長化処理部２２では、遮断処理部２３の上記の動作によりパケットの劣化の頻度が高いＬ２ネットワーク網３からの信号を受信しなくなり、Ｌ２ネットワーク網４からの信号のみを処理して送信処理部２１に転送することとなる。このようにして、受信側ネットワーク装置１０２は、パケットの劣化の頻度が高いＬ２ネットワーク網３からの信号の影響を受けず、効率の良い受信動作をする。
【００２２】
なお、遮断処理部２３は、例えばＬ２ネットワーク網３からの通信を遮断した後に、このＬ２ネットワーク網３が修復されてパケットの劣化の頻度が減少した場合には、Ｌ２ネットワーク網３からの通信を通過させるように制御する。なお、この通信の遮断／回復の処理においては、閾値計測にヒステリシスを用いることで、安定した遮断／回復の処理をするようにされている。なお、この処理は、詳細には遮断制御部２３２ａ、２３２ｂの処理に含まれる。このようにして、遮断したネットワーク網の回復が自動で行われる。
【００２３】
以上のように本実施の形態の受信側ネットワーク装置１０２は、複数の経路を形成するＬ２ネットワーク網３，４を介して送信側ネットワーク装置１０１と接続されていて、送信側ネットワーク装置１０１から送信される冗長化されたパケットを受信するようにされており、受信したパケットの劣化を検出する信号劣化検出部２３１ａ、２３１ｂと、受信した信号を各信号毎に通過させるか遮断するか切り換える信号遮断部２３３ａ、２３３ｂと、記信号劣化検出部２３１ａ、２３１ｂの検出結果に基づいて、劣化した信号の割合の多いネットワーク網からの受信信号を遮断するように信号遮断部２３３ａ、２３３ｂを制御する遮断制御部２３３ａ、２３３ｂとを有しているので、劣化した信号の割合の多いネットワーク網からの受信パケットが冗長処理を行う前に遮断され、効率の良い受信動作をする。
【００２４】
また、遮断制御部２３３ａ、２３３ｂは、いずれかのネットワーク網からの受信信号を遮断した後、同ネットワーク網からの受信信号の劣化が所定量以下に減少すると遮断を開放してこのネットワーク網からの受信パケットを通過させるように動作する。これにより、遮断したネットワーク網の回復を自動で行うことができる。
【００２５】
実施の形態２．
図３は本発明にかかる実施の形態２の受信側ネットワーク装置の遮断処理部の機能ブロック図である。本実施の形態の遮断処理部２３Ｂには、Ｌ２ネットワーク網３側とＬ２ネットワーク網４側とを統一して制御する遮断制御部２３２ｃが設けられている。上述した実施の形態１の遮断処理部２３においては、２つの遮断制御部２３２ａ、２３２ｂがそれぞれ独立して動作するため、Ｌ２ネットワーク網３，４のパケットが共に劣化していた場合、信号遮断部２３３ａ、２３３ｂの両方で遮断を行う。これに対し、本実施の形態においては、独立していた遮断制御部を統合して、１つの遮断制御部２３２ｃとし遮断処理の制御を統一的に行う。その他の構成は実施の形態１と同様である。
【００２６】
動作を説明する。Ｌ２ネットワーク網からパケットを受信して、劣化があった際にそのＬ２ネットワーク網からのパケットを遮断する動作は、実施の形態１と同様である。しかしながら、全てのＬ２ネットワーク網からのパケットが劣化していた場合の動作が実施の形態１のものとは異なる。全てのＬ２ネットワーク網からの信号が劣化していた場合、遮断制御部２３２ｃは、Ｌ２ネットワーク網におけるパケットの劣化の頻度が最も少ないネットワーク網、若しくは最後にパケットの劣化の生じたネットワーク網を選択し、そのＬ２ネットワーク網からの信号が冗長化処理部２４に出力されるように制御する。
【００２７】
以上のように本実施の形態の受信側ネットワーク装置は、実施の形態１の構成に加えて、遮断制御部２３２ｃは、Ｌ２ネットワーク網におけるパケットの劣化の頻度が最も少ないネットワーク網、若しくは最後にパケットの劣化の生じたネットワーク網を選択することにより、少なくとも一つのネットワーク網からの受信信号は遮断しないように制御するので、パケットの劣化の頻度が高いＬ２ネットワーク網の影響を抑制することができるとともに、全てのＬ２ネットワーク網でパケットの劣化が生じた場合であってもネットワーク網を介して通信を行うことが可能となる。
【００２８】
なお、本実施の形態の遮断制御部２３２ｃは、実施の形態１のものと同様に、所定のＬ２ネットワーク網の遮断後、同Ｌ２ネットワーク網が修復した場合には、遮断を開放して同Ｌ２ネットワーク網からのパケットの通過を許可する制御をする。
【００２９】
実施の形態３．
図４は本発明にかかる実施の形態３の受信側ネットワーク装置を含むネットワークシステムのシステム構成図である。図４において、送信側ネットワーク装置２０１は、上記背景技術で述べたものと同様に、パケットを端末などから受信する受信処理部１１と、ＩＤタグなどを付与した上で各Ｌ２ネットワーク網に送信するタグ付与部１３と、ネットワーク装置２０１のＩＤを保持する送信元ＩＤ保持部１４、パケットに付加するシーケンス番号を生成するシーケンス番号生成部１５とを有している。
【００３０】
一方、受信側ネットワーク装置２０２は、Ｌ２ネットワーク網から受信するパケットをパケットの劣化の頻度により遮断する遮断処理部２３と、Ｌ２ネットワーク網からのパケットの選択／廃棄を判断する選択／廃棄処理部２４と、選択／廃棄処理２４の比較対象となるＩＤ毎のシーケンス番号保持部２５とを有している。遮断処理部２３は、実施の形態１の遮断処理部２３または実施の形態２の遮断処理部２３Ｂと同様の構成をもつものとされている。
【００３１】
動作を説明する。Ｌ２ネットワーク網３から受信するパケットにおいて、定常的にパケットの劣化が発生しているとする。実施の形態１と同様の動作により、Ｌ２ネットワーク網３からの通信を遮断する。Ｌ２ネットワーク網３からの通信の遮断後、Ｌ２ネットワーク網４から受信するパケットの処理を図５に示す。図５において、時刻１、２、４、７では、Ｌ２ネットワーク網３からのパケットを受信するが、遮断処理部２３によりパケットは遮断され、選択／廃棄処理部２４に転送されない。保持しているシーケンス番号の更新等の処理も行われない。一方、時刻３、５、６では、Ｌ２ネットワーク網４からのパケットを受信し、遮断処理部２３はそのまま通過する。そして、選択／廃棄処理部２４での保持しているシーケンス番号の更新等の処理が行われる。その結果、受信側ネットワーク装置２０２は、０１〜０３の全てのパケットを通過させる。
【００３２】
以上により、受信側ネットワーク装置２０２は、Ｌ２ネットワーク網３から受信する定常的なパケットの劣化による影響を受けることなく、Ｌ２ネットワーク網４から受信する正常なパケットのみを通過させるので、通過するパケットの損失が抑制される。
【００３３】
このように本実施の形態の受信側ネットワーク装置２０２においては、送信側ネットワーク装置２０１が、送信元ＩＤおよびシーケンス番号をパケットに付与してネットワーク網上の各経路に同報送信するものであり、受信側ネットワーク装置２０２は、送信元ＩＤ毎にシーケンス番号を保持するシーケンス番号保持部２５と、保持されたシーケンス番号と比較することにより、未受信のパケットであればこれを通過させ、既受信のものであればこれを廃棄する選択／廃棄処理部２４とをさらに有しているので、送信元ＩＤとシーケンス番号とが付与されたパケットがネットワーク網上の複数の経路に同報送信されるネットワークシステムにおいて、損失するパケットの数を減少させることができ、効率の良い受信動作をさせることができる。
【００３４】
実施の形態４．
図６は本発明にかかる実施の形態４の受信側ネットワーク装置を含むネットワークシステムのシステム構成図である。図６において、本実施の形態の受信側ネットワーク装置３０２は、Ｌ２ネットワーク網３，４からのパケットの劣化を検出する第１の信号劣化検出部２６ａ、第２の信号劣化検出部２６ｂ、およびパケットの遮断を制御する網強制選択制御部２７を有している。
【００３５】
実施の形態３の受信側ネットワーク装置２０２においては、選択／廃棄処理部２４の他に遮断処理部２３が設けられていたが、パケットの劣化によるパケットの遮断処理と冗長化による選択／廃棄処理とを同じ機能ブロックの中で同時に行うことも可能である。そのため、本実施の形態においては、遮断処理の制御と選択／廃棄処理の制御とを統合して網強制選択制御部２７に行わせている。
【００３６】
信号劣化検出部２６ａ、２６ｂは実施の形態１の信号劣化検出部２３１ａ、２３１ｂと同様の動作をする。網強制選択制御部２７は実施の形態１の遮断制御部２３３ａ、２３３ｂまたは実施の形態２の遮断制御部２３３ｃと同様の動作をする。すなわち、選択／廃棄処理部２４は、ＩＤ毎のシーケンス番号保持部２５から得られる情報に基づいて選択／廃棄処理を行う他、網強制選択制御部２７からの情報により遮断すべき網から受信するパケットを通過させない。これにより、信号遮断部を別途設けることなく、実施の形態３の受信側ネットワーク装置２０２と同様の動作をさせて同様の効果を得ることができる。
【００３７】
なお、本実施の形態の網強制選択制御部２７は、実施の形態１のものと同様に、いずれかのネットワーク網からの受信信号を遮断した後、同ネットワーク網からの受信信号の劣化が所定量以下に減少すると遮断を開放してこのネットワーク網からの受信パケットを通過させるように動作するので、遮断したネットワーク網の回復を自動で行うことができる。
【００３８】
実施の形態５．
シーケンス番号保持部にて保持されるシーケンス番号は、Ｌ２ネットワーク網で順番が入れ替わるパケット群単位で管理される。上述の実施の形態においては、シーケンス番号保持部２５では、Ｌ２ネットワーク網で順番が入れ替わるパケット群単位として、システム内で固有の認識番号である送信元ＩＤが用いられていたが、本実施の形態においては、図７に示されるようにＱｏＳ認識番号を、Ｌ２ネットワーク網で順番が入れ替わるパケット群の単位として管理する。その他の構成は実施の形態１と同様である。
【００３９】
Ｌ２ネットワーク網３から受信するパケットにおいて、Ｌ２ネットワーク網内におけるＱｏＳの優先制御により、シーケンス番号１３がシーケンス番号１１、１２よりも先に受信した場合の動作例を図８に示す。図８において、時刻１では、ＱｏＳ１のシーケンス番号１０のパケットを受信する。ＱｏＳ１の保持しているシーケンス番号００より大きいため、パケットは通過し、ＱｏＳ１の保持しているシーケンス番号を更新する。時刻２では、ＱｏＳ２のシーケンス番号１３のパケットを受信する。ＱｏＳ２の保持しているシーケンス番号０３より大きいため、パケットを通過し、ＱｏＳ２の保持しているシーケンス番号を更新する。時刻３では、ＱｏＳ１のシーケンス番号１１のパケットを受信する。時刻２のシーケンス番号よりも小さいが、ＱｏＳ１の保持しているシーケンス番号は１０であるため、パケットは通過する。時刻４、５も同様に信号は通過する。
【００４０】
これにより、Ｌ２ネットワーク網内でパケットの順番が変更した場合でも、受信する全てのパケットが受信側ネットワーク装置１０２を通過し、パケットの損失が生じない。
【００４１】
また、図７のような管理方法は、実施の形態３および４においても実現でき、Ｌ２ネットワーク網から受信するパケットの劣化およびＬ２ネットワーク網内におけるパケットの順番の入れ替わりに対し、パケットの損失を防止することが可能である。
【００４２】
なお、上記実施の形態１から５の受信側ネットワーク装置は、Ｌ２ネットワーク網から冗長化されたパケットを受信するものであるが、これに限らず、本発明に係る受信側ネットワーク装置は、広くＬ２ネットワーク網から冗長化された信号を受信するものであれば適用することができる。
【産業上の利用可能性】
【００４３】
この発明にかかる受信側ネットワーク装置は、より信頼性が高いネットワークシステムを、レイヤ２の階層で実現することを要求されるネットワークシステムを構築する際に組み込まれて有用なものである。
【図面の簡単な説明】
【００４４】
【図１】本発明にかかる実施の形態１の受信側ネットワーク装置を含むネットワークシステムのシステム構成図である。
【図２】実施の形態１の遮断処理部の詳細な構成を示す機能ブロック図である。
【図３】本発明にかかる実施の形態２の受信側ネットワーク装置の遮断処理部の機能ブロック図である。
【図４】本発明にかかる実施の形態３の受信側ネットワーク装置を含むネットワークシステムのシステム構成図である。
【図５】高信頼性ネットワーク網における受信信号の通過可否の第１の例を説明するための図である。
【図６】本発明にかかる実施の形態４の受信側ネットワーク装置を含むネットワークシステムのシステム構成図である。
【図７】高信頼性ネットワーク網における保持するシーケンス番号の構成例を説明するための図である。
【図８】高信頼性ネットワーク網における受信信号の通過可否の第２の例を説明するための図である。
【図９】従来のレイヤ２ネットワークシステムの構成図である。
【図１０】従来技術のネットワーク網における受信信号の通過可否の第１の例を説明するための図である。
【図１１】従来技術のネットワーク網における受信信号の通過可否の第２の例を説明するための図である。
【符号の説明】
【００４５】
３，４    Ｌ２ネットワーク網（ネットワーク網）
１２    送信側冗長化処理部
１３    タグ付与部
２２    受信側冗長化処理部
２３,２３Ｂ    遮断処理部
２３１ａ    第１の信号劣化検出部
２３１ｂ    第２の信号劣化検出部
２３２ａ    第１の遮断制御部
２３２ｂ    第２の遮断制御部
２３３ａ    第１の信号遮断部
２３３ｂ    第２の信号遮断部
２４    選択／廃棄処理部
２５    ＩＤ毎のシーケンス番号保持部
２６    信号劣化検出部
２７    網強制選択制御部
１０１，２０１    送信側ネットワーク装置
１０２，２０２，３０２    受信側ネットワーク装置
【図１】
2008028671.tif 000003
【図２】
2008028671.tif 000004
【図３】
2008028671.tif 000005
【図４】
2008028671.tif 000006
【図５】
2008028671.tif 000007
【図６】
2008028671.tif 000008
【図７】
2008028671.tif 000009
【図８】
2008028671.tif 000010
【図９】
2008028671.tif 000011
【図１０】
2008028671.tif 000012
【図１１】
2008028671.tif 000013